(57)【要約】【課題】漢字をその構成要素に基づいて、より簡便に学習する。【解決手段】漢字ＤＢ（学年別）に記憶されている学年別の学習対象漢字の一覧から任意の漢字（形声文字）「泳」を指定してタッチパネル付表示部２２に表示させ、当該漢字の構成要素である意符（ｂ１）または音符（ｂ２）がタッチされフリックｆｎ又はドラッグｄされると、タッチされた構成要素の意符（又は音符）が他の意符（又は音符）に置き換えられて異なる漢字が、前記学年別の学習対象漢字から読み出されて表示される。【選択図】      図８
2015222334.tif 000002
【特許請求の範囲】
【請求項１】
漢字データを記憶する漢字記憶手段と、
この漢字記憶手段により記憶された漢字データに基づいて、学習対象とする漢字を表示装置に表示させる漢字出力手段と、
前記表示装置に表示された漢字の部位がユーザ操作に応じて指定された場合に、前記漢字の指定の部位の構成要素を他の構成要素と置き換えた漢字を前記漢字記憶手段から取り出して前記表示装置に表示させる置き換え漢字出力手段と、
を備えたことを特徴とする漢字学習支援装置。
【請求項２】
前記漢字出力手段は、前記漢字記憶手段により記憶された漢字データの中からユーザ操作に応じて指定された漢字を出力する、
ことを特徴とする請求項１に記載の漢字学習支援装置。
【請求項３】
前記置き換え漢字出力手段は、漢字の指定の部位の構成要素を他の構成要素と置き換えた漢字を、ユーザの操作に応じて異なる手法で前記漢字記憶手段により記憶された漢字の中から読み出して出力する、
ことを特徴とする請求項１または請求項２に記載の漢字学習支援装置。
【請求項４】
前記置き換え漢字出力手段は、前記漢字の指定の部位の構成要素を他の構成要素と置き換えた漢字を、ユーザの操作方向が第１の方向である場合は、前記漢字記憶手段により記憶された漢字であって前記漢字出力手段により出力された漢字以降にある漢字の中から読み出して出力し、ユーザの操作方向が第２の方向である場合は、前記漢字記憶手段により記憶された漢字であって前記漢字出力手段により出力された漢字以前にある漢字の中から読み出して出力する、
ことを特徴とする請求項３に記載の漢字学習支援装置。
【請求項５】
前記置き換え漢字出力手段は、前記漢字の指定の仕方が第１の仕方である場合、前記漢字の指定の部位の構成要素を他の構成要素と置き換えた漢字を出力し、前記漢字の指定の仕方が第２の仕方である場合、当該指定の距離に応じて、前記漢字の指定の部位の構成要素を他の構成要素と置き換えた漢字を順次配列して出力する、
ことを特徴とする請求項３に記載の漢字学習支援装置。
【請求項６】
前記表示装置に表示された漢字のうちユーザ操作に応じて指定された部位の構成要素を手書き入力枠に換えて出力する手書き枠出力手段と、
この手書き枠出力手段により出力された手書き入力枠に対するユーザ操作に応じて入力された手書き文字を認識する文字認識手段と、
前記漢字の指定の部位の構成要素を前記文字認識手段により認識された文字に置き換えてなる漢字が前記漢字記憶手段により記憶された漢字の中に存在するかを判断する漢字判断手段と、
この漢字判断手段による判断結果を出力する結果出力手段と、
を備えたことを特徴とする請求項１ないし請求項５の何れか１項に記載の漢字学習支援装置。
【請求項７】
前記漢字記憶手段は、漢字を当該漢字を含むテキストとして記憶する、
ことを特徴とする請求項１ないし請求項６の何れか１項に記載の漢字学習支援装置。
【請求項８】
電子機器のコンピュータを制御するためのプログラムであって、
前記コンピュータを、
漢字データを記憶する漢字記憶手段と、
この漢字記憶手段により記憶された漢字データに基づいて、学習対象とする漢字を表示装置に表示させる漢字出力手段と、
前記表示装置に表示された漢字の部位がユーザ操作に応じて指定された場合に、前記漢字の指定の部位の構成要素を他の構成要素と置き換えた漢字を前記漢字記憶手段から取り出して前記表示装置に表示させる置き換え漢字出力手段、
として機能させるためのコンピュータ読み込み可能なプログラム。
【発明の詳細な説明】
【技術分野】
【０００１】
本発明は、漢字の学習に好適な漢字学習支援装置およびその制御プログラムに関する。
【背景技術】
【０００２】
漢字の学習を支援する従来の装置であって、漢字をその構成要素に分解した部品をＤＢ（データベース）に記憶し、このＤＢに記憶された各部品の組み合わせを利用した漢字パズルの問題を生成して出題する漢字パズルゲーム装置が考えられている（例えば、特許文献１参照。）。
【先行技術文献】
【特許文献】
【０００３】
【特許文献１】特開２００７−１９０２５２公報
【発明の概要】
【発明が解決しようとする課題】
【０００４】
漢字をその部品（構成要素）から学習することが効果的な漢字学習法であることは知られている。
【０００５】
そこで、漢字をその構成要素に基づいて、より簡便に学習することが望まれる。
【０００６】
本発明は、このような課題に鑑みなされたもので、漢字をその構成要素に基づいて、より簡便に学習することが可能になる漢字学習支援装置およびその制御プログラムを提供することを目的とする。
【課題を解決するための手段】
【０００７】
本発明に係る漢字学習支援装置は、漢字データを記憶する漢字記憶手段と、この漢字記憶手段により記憶された漢字データに基づいて、学習対象とする漢字を表示装置に表示させる漢字出力手段と、前記表示装置に表示された漢字の部位がユーザ操作に応じて指定された場合に、前記漢字の指定の部位の構成要素を他の構成要素と置き換えた漢字を前記漢字記憶手段から取り出して前記表示装置に表示させる置き換え漢字出力手段と、を備えたことを特徴としている。
【発明の効果】
【０００８】
本発明によれば、漢字をその構成要素に基づいて、より簡便に学習することが可能になる。
【図面の簡単な説明】
【０００９】
【図１】本発明の実施形態に係る漢字学習支援装置１０の電子回路の構成を示すブロック図。
【図２】前記漢字学習支援装置１０をタブレット端末２０Ｔとサーバ装置３０Ｓにより実施した場合の外観構成を示す斜視図。
【図３】前記漢字学習支援装置１０を電子辞書装置１０Ｄにより実施した場合の外観構成を示す正面図。
【図４】前記漢字学習支援装置１０のデータ処理装置３０における漢字ＤＢ３２ｃの内容を示す図であり、同図（Ａ）は漢字ＤＢ（学年別）３２ｃ１の内容を示す図、同図（Ｂ）は漢字ＤＢ（意符別）３２ｃ２の内容を示す図、同図（Ｃ）は漢字ＤＢ（音符別）３２ｃ３の内容を示す図。
【図５】前記漢字学習支援装置１０のデータ処理装置３０（サーバ装置３０Ｓ）により実行される漢字学習支援処理の全体の流れを示す図。
【図６】前記漢字学習支援装置１０の漢字学習支援処理における漢字学習処理（１）を示すフローチャート。
【図７】前記漢字学習支援装置１０の漢字学習支援処理における漢字学習処理（２）を示すフローチャート。
【図８】前記漢字学習支援装置１０の漢字学習処理（１）に従った入出力装置２０での表示動作を示す図。
【図９】前記漢字学習支援装置１０の漢字学習処理（２）に従った入出力装置２０での表示動作を示す図。
【発明を実施するための形態】
【００１０】
以下図面により本発明の実施の形態について説明する。
【００１１】
図１は、本発明の実施形態に係る漢字学習支援装置１０の電子回路の構成を示すブロック図である。
【００１２】
この漢字学習支援装置１０は、入出力装置２０とコンピュータであるデータ処理装置３０とを備えて構成される。
【００１３】
前記入出力装置２０には、キー入力部２１、タッチパネル付表示部２２、当該キー入力部２１とタッチパネル付表示部２２とに対する入出力制御部２３、この入出力制御部２３を前記データ処理部３０と接続するためのインターフェイス（ＩＦ）部２０が備えられる。
【００１４】
前記データ処理装置３０には、制御装置（ＣＰＵ）３１、この制御装置３１の制御動作を司る各種のプログラムやデータベースを記憶した記憶装置３２、前記制御動作に伴う作業用データを記憶するＲＡＭ３３、前記制御装置（ＣＰＵ）３１を前記入出力装置２０と接続するためのインターフェイス（ＩＦ）部３４が備えられる。
【００１５】
図２は、前記漢字学習支援装置１０をタブレット端末２０Ｔとサーバ装置３０Ｓにより実施した場合の外観構成を示す斜視図である。
【００１６】
この図２における漢字学習支援装置１０の場合、前記タブレット端末２０Ｔが前記入出力装置２０として機能し、前記サーバ装置３０Ｓが前記データ処理装置３０として機能する。
【００１７】
図３は、前記漢字学習支援装置１０を電子辞書装置１０Ｄにより実施した場合の外観構成を示す正面図である。
【００１８】
この図３における電子辞書装置１０Ｄの場合、前記入出力装置２０とデータ処理装置３０は何れも当該電子辞書装置１０Ｄに一体的に内蔵され、開閉される装置本体の下段側に前記キー入力部２１が設けられ、上段側に前記タッチパネル付表示部２２が設けられる。この電子辞書装置１０Ｄのキー入力部２１には、各種の辞書指定キー、文字入力キー、[Jump]キー、[決定]キー、[戻る]キーの他に、漢字学習の動作モードに設定するための[漢字学習]キー２１ａが備えられる。
【００１９】
前記データ処理装置３０の記憶装置３２には、前記制御装置３１により実行される制御プログラム３２ａ、コンテンツＤＢ３２ｂ、漢字ＤＢ３２ｃなどが、予め記憶されるか、あるいはＣＤ−ＲＯＭやメモリカードなどの外部記録媒体から読み込まれて記憶されるか、あるいはインターネットなどの通信ネットワーク上のプログラムサーバからダウンロードされて記憶される。
【００２０】
前記制御プログラム３２ａとしては、当該漢字学習支援装置１０の全体の動作を司るシステムプログラム、前記通信ネットワーク上の外部機器や図示しないユーザＰＣ(Personal Computer)などとデータ通信するための通信プログラムなどが記憶される。また、前記制御プログラム３２ａとして、検索語入力処理、検索語に対応した見出し語検索処理、検索された見出し語に対応する説明情報の読み出し表示処理など、同記憶装置３２内のコンテンツＤＢ３２ｂに基づく検索・読み出し・表示処理全般を制御するための辞書検索プログラムが記憶される。さらに、前記制御プログラム３２ａとして、任意に指定した漢字からその構成要素である部首などの部分を置き換えながら漢字の学習を行うための漢字学習支援プログラムが記憶される。
【００２１】
そして、前記制御プログラム３２ａは、前記入出力装置２０のキー入力部２１、タッチパネル付表示部２２からのユーザ操作に応じた入力信号、あるいは前記通信ネットワーク上の外部機器との通信信号に応じて起動される。
【００２２】
前記コンテンツＤＢ３２ｂには、例えば、教科書や小説等のテキストデータが記憶される他、国語辞典、英和辞典、和英辞典、英英辞典等の各種の辞書が記憶される。
【００２３】
図４は、前記漢字学習支援装置１０のデータ処理装置３０における漢字ＤＢ３２ｃの内容を示す図であり、同図（Ａ）は漢字ＤＢ（学年別）３２ｃ１の内容を示す図、同図（Ｂ）は漢字ＤＢ（意符別）３２ｃ２の内容を示す図、同図（Ｃ）は漢字ＤＢ（音符別）３２ｃ３の内容を示す図である。
【００２４】
全漢字のうち、約９割は形声文字である。この形声文字は、その文字の構成要素である部位（偏（へん）・旁（つくり）・冠（かんむり）・脚（あし）・繞（にょう）・垂（たれ）・構（かまえ））が類型的な意味を表す意符と音声を表す音符とに分けられる。例えば、形声文字である漢字「語」は、その偏（へん）の部位の意符「言（ごんべん）」と旁（つくり）の部位の音符「吾（ゴ）」との組み合わせからなる。
【００２５】
前記漢字ＤＢ（学年別）３２ｃ１には、学年別に学習対象となる漢字のデータが対応付けられて記憶される。
【００２６】
例えば、意符「さんずい」は、水、川の意味を表し、この「さんずい」が偏（へん）の部位にある２学年の対象漢字には「海」「活」「池」があり、３学年の対象漢字には「泳」「洋」「泡」「深」「漢」「港」「決」があり、４学年の対象漢字には「泣」「漁」「法」があり、５学年の対象漢字には「液」「混」「潔」「測」がある。
【００２７】
前記漢字ＤＢ（意符別）３２ｃ２には、前記漢字（形声文字）の部位（偏・旁・冠・脚・繞・垂・構）毎に、当該部位となる各意符についてのデータが、同意符の意味と同意符を用いた漢字とを対応付けて記憶される。
【００２８】
前記漢字ＤＢ（音符別）３２ｃ３には、音符別に当該音符の読みと意味と同音符を構成要素として用いた各漢字と対応付けたデータが記憶される。
【００２９】
前記データ処理装置３０におけるＲＡＭ３３には、表示データ記憶領域３３ａ、指定漢字位置データ記憶領域３３ｂが確保される。
【００３０】
前記表示データ記憶領域３３ａには、前記制御装置３１による前記制御プログラム３２ａの実行に従い生成される前記入出力装置２０のタッチパネル付表示部２２に表示させるべき表示データが記憶される。
【００３１】
前記指定漢字位置データ記憶領域３３ｂには、前記制御プログラム３２ａの漢字学習支援プログラムに従い実行される漢字学習処理において、ユーザ操作に応じて、前記漢字ＤＢ（学年別）３２ｃ１内の学習対象漢字のうち現在指定されている漢字の位置データ、あるいは表示中のテキスト内で現在指定されている漢字の位置データが記憶される。
【００３２】
このように構成された漢字学習支援装置１０は、前記データ処理装置３０の制御装置（ＣＰＵ）３１が前記制御プログラム３２ａ（前記辞書検索プログラム、漢字学習支援プログラムを含む）に記述された命令に従い回路各部の動作を制御し、ソフトウエアとハードウエアとが協働して動作することにより、後述の動作説明で述べる機能を実現する。
【００３３】
次に、前記構成の漢字学習支援装置１０の動作について説明する。
【００３４】
図５は、前記漢字学習支援装置１０のデータ処理装置３０により実行される漢字学習支援処理の全体の流れを示す図である。
【００３５】
図６は、前記漢字学習支援装置１０の漢字学習支援処理における漢字学習処理（１）を示すフローチャートである。
【００３６】
図７は、前記漢字学習支援装置１０の漢字学習支援処理における漢字学習処理（２）を示すフローチャートである。
【００３７】
図８は、前記漢字学習支援装置１０の漢字学習処理（１）に従った入出力装置２０での表示動作を示す図である。
【００３８】
図９は、前記漢字学習支援装置１０の漢字学習処理（２）に従った入出力装置２０での表示動作を示す図である。
【００３９】
前記入出力装置２０のユーザ操作に応じて、前記データ処理装置３０によりその制御プログラム３２ａ（学習支援プログラム）のアプリケーションが起動されると、漢字学習モードまたはテキスト学習モードの選択を促す動作モードの選択画面が前記入出力装置２０に出力されそのタッチパネル付表示部２２に表示される（ステップＳ１）。
【００４０】
（漢字学習モード）
表示された動作モードの選択画面に対するユーザ操作に応じて、漢字学習モードの選択信号がデータ処理装置３０で受信されると、図６における漢字学習処理（１）が起動される（ステップＳ１→ＳＡ）。
【００４１】
すると、学習対象とする始めの漢字をユーザの学年に応じた漢字一覧の中から任意に指定するか又はランダムに指定するかの漢字選択メニューＭが生成され、図８（Ａ）に示すように、漢字学習画面Ｇとしてタッチパネル付表示部２２に表示される。
【００４２】
前記漢字選択メニューＭにおいて［三年生の漢字］が選択されると、前記漢字ＤＢ（学年別）３２ｃ１（図４（Ａ）参照）に記憶されている第三学年の学習対象漢字が読み出され当該第三学年の学習対象漢字の一覧が前記タッチパネル付表示部２２に表示される。
【００４３】
この第三学年の学習対象漢字の一覧からユーザ操作に応じた任意の漢字、例えば「泳」が指定されると（ステップＡ１）、図８（Ｂ）に示すように、当該指定の漢字「泳」が前記タッチパネル付表示部２２の漢字学習画面Ｇに表示される（ステップＡ２）。
【００４４】
この漢字学習画面Ｇにおいて、当該漢字「泳」がシングルタッチされたと判断されると（ステップＡ３（Ｙｅｓ））、同漢字「泳」の偏（へん）の構成要素ｂ１である意符（さんずい）が赤色ＲＥに、旁（つくり）の構成要素ｂ２である音符（えい）が青色ＢＬに色分けされて表示される（ステップＡ４）。
【００４５】
そして、構成要素ｂ１である意符（さんずい）がタッチされたと判断されると（ステップＡ５（Ｙｅｓ））、当該タッチされた意符（さんずい）の意味「水、川の意味」ｍ１が前記漢字ＤＢ（意符別）３２ｃ２（図４（Ｂ）参照）から読み出され、図８（Ｃ）に示すように表示される（ステップＡ６）。
【００４６】
また同様に、構成要素ｂ２である音符（えい）がタッチされたと判断されると（ステップＡ５（Ｙｅｓ））、当該タッチされた音符（えい）の意味「ながいの意」ｍ２が前記漢字ＤＢ（音符別）３２ｃ３（図４（Ｃ）参照）から読み出され、図８（Ｃ）に示すように表示される（ステップＡ６）。
【００４７】
一方、表示された漢字「泳」において、構成要素ｂ２である音符（えい「永」）がフリックされたと判断されると（ステップＡ７（Ｙｅｓ））、タッチされた構成要素を、フリックの方向に応じた次の要素に置き換えた漢字を表示する（ステップＡ８）。３学年の「さんずい」の学習漢字として「泳」「洋」「泡」「深」「漢」「港」「決」の順番に記憶されているとすると、右にフリックされた場合には、次の「洋」が表示されることになる。そこで、例えば右に２回フリックｆ１，ｆ２された場合には、フリックが判断されると（ステップＡ７（Ｙｅｓ））、構成要素ｂ１が固定され、前記第三学年の学習対象漢字（図４（Ａ）参照）において前記固定された偏（へん）の意符（さんずい）を有する前記フリック回数（２回）に応じた次の二つの漢字「洋」→「泡」が順次読み出され、図８（Ｄ）に示すように、前記フリックｆ１，ｆ２によりタッチされた構成要素ｂ２の音符（えい「永」）が前記二つ目に読み出された漢字「泡」の音符（ホウ「包」）に置き換えられて表示される（ステップＡ８）。
【００４８】
なお、前記漢字「泳」の音符に対するフリック操作が更に繰り返され、前記固定された意符（さんずい）を有する次の漢字が前記第三学年の学習対象漢字になくなったと判断された場合は、さらに第四学年の学習対象漢字から該当する次の漢字が読み出される。
【００４９】
一方、前記漢字「泳」の旁（つくり）の構成要素ｂ２である音符（えい「永」）が左にフリックｆされた場合は、前記第三学年の学習対象漢字において、「さんずい」を有する「泳」よりも前の漢字が読み出される。その際、３学年の学習対象漢字がないときは、２学年の漢字が読みだされることになる。
【００５０】
また、前記図８（Ｄ）で示したように、漢字「泡」において、図８（Ｅ）に示すように、前記偏（へん）の意符（さんずい）がタッチされ右にドラッグｄされたと判断されると（ステップＡ９（Ｙｅｓ））、他方の構成要素が固定され、偏を異ならせた漢字が前記ドラッグに応じて順次読み出され、構成要素が置き換えられた漢字列として表示される（ステップＡ１０，Ａ１１）。この場合、前記旁（つくり）の音符（ホウ「包」）が固定される。そして、前記第三学年の学習対象漢字において前記固定された旁（つくり）の音符（ホウ「包」）を有する次の漢字「抱」「砲」…が前記ドラッグｄされた距離に応じて順次読み出され、当該ドラッグｄの始めにタッチされた構成要素ｂ１の意符（さんずい）が前記順次読み出された各漢字「抱」「砲」の意符（てへん）（いしへん「石」）に置き換えられた漢字列Ｌとして表示される（ステップＡ１０，Ａ１１）。
【００５１】
一方、前記漢字「泡」の意符（さんずい）がタッチされ左にドラッグｄされたと判断された場合は（ステップＡ９（Ｙｅｓ））、前記第三学年の学習対象漢字において、前記固定された旁（つくり）の音符（ホウ「包」）を有する前記漢字「泡」よりも前の漢字が当該ドラッグ距離に応じて順次読み出され、前記同様に始めにタッチされた構成要素ｂ１の意符（さんずい）が前記読み出された各漢字の意符に置き換えられた漢字列Ｌとして表示される（ステップＡ１０，Ａ１１）。
【００５２】
この後、前記漢字「泡」の意符（さんずい）に対するドラッグ操作が終了されたと判断されると（ステップＡ１１（Ｙｅｓ））、当該ドラッグされた意符（さんずい）が異なる意符に置き換えられてなる前記漢字列Ｌが消去される（ステップＡ１２）。
【００５３】
また、前記図８（Ｄ）で示したように、漢字「泡」において、図８（Ｆ）に示すように、当該旁の構成要素の音符（ホウ「包」）がダブルタップｗｔされたと判断されると（ステップＡ１３（Ｙｅｓ））、当該ダブルタップｗｔによりタッチされた構成要素の音符（ホウ「包」）が消去される（ステップＡ１４）。
【００５４】
そして、前記漢字「泡」の構成要素の音符（ホウ「包」）が消去された領域に手書き入力枠Ｈが表示される（ステップＡ１５）。
【００５５】
この後、図８（Ｇ）に示すように、前記手書き入力枠Ｈにユーザにより手書き文字ｈｃが入力されると（ステップＡ１５）、この入力された手書き文字ｈｃが漢字認識され、当該手書き文字ｈｃは、図８（Ｈ）に示すように、漢字認識された認識文字「去」ｒｃに入れ換えられて表示される（ステップＡ１６）。
【００５６】
またこれと共に、前記偏（へん）の構成要素の意符（さんずい）に前記旁（つくり）の構成要素として手書き入力された認識文字（キョ「去」）ｒｃを組み合わせた漢字「法」が存在するか否かが判断され、存在すると判断された場合は結果メッセージ［正解！］Ａｎが表示される（ステップＡ１６）。
【００５７】
一方、前記タッチパネル付表示部２２に表示されたユーザ指定の漢字「泳」がダブルタッチされてドラッグされたと判断されると（ステップＡ１７（Ｙｅｓ））、前記選択された第三学年の学習対象漢字から別の漢字が指定されて読み出され、学習対象の漢字が変更されて表示される（ステップＡ１８）。
【００５８】
（テキストモード）
前記データ処理装置３０による制御プログラム３２ａ（学習支援プログラム）の起動に伴い、動作モードの選択画面に対するユーザ操作に応じて、テキストモードが選択されると、例えば前記コンテンツＤＢ３２ｂからユーザ任意に選択されたテキストデータが読み出され、図９（Ａ）に示すように、タッチパネル付表示部２２にテキスト画面Ｇｔとして表示される（ステップＳ１→Ｓ２）。
【００５９】
このテキスト画面Ｇｔに対するユーザ操作に応じて、前記データ処理装置３０により前記テキストデータに含まれる漢字Ｔがタッチされたと判断されると（ステップＳ３（Ｙｅｓ））、辞書検索モードまたは漢字学習モードの選択を促すモード選択メニューが生成され、タッチパネル付表示部２２に表示される（ステップＳ４）。
【００６０】
前記モード選択メニューに対するユーザ操作に応じて、漢字学習モードが選択されたと判断されると（ステップＳ５（Ｙｅｓ））、図７のフローチャートで示されるテキスト中の漢字学習処理（２）が起動される（ステップＳＢ）。
【００６１】
すると、前記テキスト画面Ｇｔにおいてタッチされて指定された漢字Ｔ、この場合「泳」とする、が抽出され、図９（Ｂ）に示すように、漢字学習ウインドウＧｗに表示される。この際、当該漢字Ｔ「泳」の偏（へん）の構成要素ｂ１である意符（さんずい）が赤色ＲＥに、旁（つくり）の構成要素ｂ２である音符（えい）が青色ＢＬに色分けされて表示される（ステップＢ１）。
【００６２】
そして、前記漢字学習ウインドウＧｗに表示された漢字「泳」がタッチされたと判断されると（ステップＢ２（Ｙｅｓ））、前記図８（Ｃ）で示した場合と同様に、当該タッチされた構成要素ｂ１（又はｂ２）の意符（又は音符）の意味ｍ１（又はｍ２）が前記漢字ＤＢ（意符別）３２ｃ２（又は漢字ＤＢ（音符別）３２ｃ３）から読み出されて表示される（ステップＢ３）。
【００６３】
また、前記漢字「泳」の１つの構成要素がフリックされたと判断されると（ステップＢ４（Ｙｅｓ））、そのフリック操作毎に、前記図８（Ｄ）で示した場合と同様に、同フリックｆｎされた方向が右方向であるときは前記テキストの前記漢字「泳」以降のテキスト中から、左方向であるときは前記テキストの前記漢字「泳」以前のテキスト中から、タッチされた構成要素の意符又は音符が置き換えられて異なる漢字が読み出されて表示される（ステップＢ５）。
【００６４】
また、前記漢字「泳」の１つの構成要素がドラッグｄされたと判断されると（ステップＢ６（Ｙｅｓ））、前記図８（Ｅ）で示した場合と同様に、同ドラッグｄされた方向が右方向であるときは前記テキストの前記漢字「泳」以降のテキスト中から、左方向であるときは前記テキストの前記漢字「泳」以前のテキスト中から、タッチされた構成要素の意符又は音符が置き換えられて異なる漢字が順次読み出され漢字列Ｌとして表示される（ステップＢ７，Ｂ８）。
【００６５】
この後、前記漢字「泳」に対するドラッグ操作が終了されたと判断されると（ステップＢ８（Ｙｅｓ））、当該ドラッグされた構成要素の意符（又は音符）が異なる意符（又は音符）に置き換えられてなる前記漢字列Ｌが消去される（ステップＢ９）。
【００６６】
したがって、前記構成の漢字学習支援装置１０によれば、漢字学習モードでは、漢字ＤＢ（学年別）３２ｃ１に記憶されている学年別の学習対象漢字の一覧から任意の漢字（形声文字）を指定してタッチパネル付表示部２２に表示させ、当該漢字の構成要素である意符または音符がタッチされフリック又はドラッグされると、タッチされた構成要素の意符（又は音符）が他の意符（又は音符）に置き換えられて異なる漢字が、前記学年別の学習対象漢字から読み出されて表示される。
【００６７】
この際、前記タッチ操作がフリック操作ｆ１，ｆ２，…である場合は、そのフリック操作ｆｎ毎に、前記タッチされた構成要素が置き換えられて異なる漢字が読み出されて表示される。また、前記タッチ操作がドラッグ操作ｄである場合は、そのドラッグ操作ｄの距離に応じて、前記タッチされた構成要素が置き換えられて異なる漢字が順次読み出されて配列された漢字列Ｌとして表示される。
【００６８】
なお、前記タッチされた構成要素が置き換えられて異なる漢字は、前記フリック操作ｆｎまたは前記ドラッグ操作ｄの方向に応じて、右方向である場合は前記学習対象漢字のうち前記指定の漢字以降の学習対象漢字から、左方向である場合は前記学習対象漢字のうち前記指定の漢字以前の学習対象漢字から読み出されて表示される。
【００６９】
これにより、漢字をその構成要素に基づいて、より簡便に、しかもユーザの学習対象漢字の過去学習分や将来学習分を適宜選択して学習することができる。
【００７０】
また、前記構成の漢字学習支援装置１０によれば、前記タッチパネル付表示部２２に表示させた漢字（形声文字）の構成要素である意符又は音符がダブルタップｗｔされると、当該構成要素の部位に手書き入力枠Ｈを表示させる。そして、前記手書き入力枠Ｈに入力された手書き文字ｈｃが漢字認識されこの認識文字ｒｃが表示されると、前記構成要素が当該認識文字ｒｃに置き換えられた漢字が前記学習対象漢字に存在するか否かが判断され、正解／不正解の結果メッセージＡｎが表示される。
【００７１】
これにより、漢字をその構成要素に基づいて、より簡便に、しかもその構成要素の部位の文字をユーザが実際に手書き入力しながら学習することができる。
【００７２】
さらに、前記構成の漢字学習支援装置１０によれば、前記タッチパネル付表示部２２に表示させた漢字（形声文字）の構成要素である意符又は音符がタッチされると、当該タッチされた意符（又は音符）の意味ｍ１（又はｍ２）が漢字ＤＢ（意符別）３２ｃ２（又は漢字ＤＢ（音符別）３２ｃ３から読み出されて表示される。
【００７３】
これにより、前記学習対象漢字から指定した漢字（形声文字）を構成する意符や音符の意味を簡便に表示させて学習することができる。
【００７４】
また、前記構成の漢字学習支援装置１０によれば、テキストモードが選択された場合は、ユーザ任意に選択されたテキストデータに含まれる漢字の範囲を前記学習対象漢字の範囲として学習できるので、ユーザ所望のテキストデータを対象に、漢字をその構成要素に基づいて、より簡便に学習することができる。
【００７５】
なお、前記各実施形態では、前記タッチパネル付表示部２２に表示させた漢字に対してのフリック操作ｆｎ…やドラッグ操作ｄは、右方向または左方向への操作があったかを判断し、その方向に応じてタッチされた構成要素の置き換え処理を行なう構成としたが、上方向または下方向への操作があったかを判断して前記同様の処理を行なう構成としてもよいのは勿論である。
【００７６】
なお、前記各実施形態において記載した漢字学習支援装置１０による各処理の手法およびデータベース（ＤＢ）、すなわち、図５のフローチャートに示す漢字学習支援処理、図６のフローチャートに示す前記漢字学習支援処理における漢字学習処理（１）、図７のフローチャートに示す前記漢字学習支援処理における漢字学習処理（２）等の各手法、および漢字ＤＢ３２ｃ（３２ｃ１〜３２ｃ３）等の各ＤＢは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、電子機器のコンピュータ（制御装置）は、この外部記録装置の媒体に記憶されたプログラムを記憶装置に読み込み、この読み込んだプログラムによって動作が制御されることにより、前記各実施形態において説明した漢字学習支援機能を実現し、前述した手法による同様の処理を実行することができる。
【００７７】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを電子機器に取り込んで記憶装置に記憶させ、前述した漢字学習支援機能を実現することもできる。
【００７８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７９】
以下に、本願出願の当初の特許請求の範囲に記載された発明を付記する。
【００８０】
［１］
漢字データを記憶する漢字記憶手段と、
この漢字記憶手段により記憶された漢字データに基づいて、学習対象とする漢字を表示装置に表示させる漢字出力手段と、
前記表示装置に表示された漢字の部位がユーザ操作に応じて指定された場合に、前記漢字の指定の部位の構成要素を他の構成要素と置き換えた漢字を前記漢字記憶手段から取り出して前記表示装置に表示させる置き換え漢字出力手段と、
を備えたことを特徴とする漢字学習支援装置。
【００８１】
［２］
前記漢字出力手段は、前記漢字記憶手段により記憶された漢字データの中からユーザ操作に応じて指定された漢字を出力する、
ことを特徴とする［１］に記載の漢字学習支援装置。
【００８２】
［３］
前記置き換え漢字出力手段は、漢字の指定の部位の構成要素を他の構成要素と置き換えた漢字を、ユーザの操作に応じて異なる手法で前記漢字記憶手段により記憶された漢字の中から読み出して出力する、
ことを特徴とする［１］または［２］に記載の漢字学習支援装置。
【００８３】
［４］
前記置き換え漢字出力手段は、前記漢字の指定の部位の構成要素を他の構成要素と置き換えた漢字を、ユーザの操作方向が第１の方向である場合は、前記漢字記憶手段により記憶された漢字であって前記漢字出力手段により出力された漢字以降にある漢字の中から読み出して出力し、ユーザの操作方向が第２の方向である場合は、前記漢字記憶手段により記憶された漢字であって前記漢字出力手段により出力された漢字以前にある漢字の中から読み出して出力する、
ことを特徴とする［３］に記載の漢字学習支援装置。
【００８４】
［５］
前記置き換え漢字出力手段は、前記漢字の指定の仕方が第１の仕方である場合、前記漢字の指定の部位の構成要素を他の構成要素と置き換えた漢字を出力し、前記漢字の指定の仕方が第２の仕方である場合、当該指定の距離に応じて、前記漢字の指定の部位の構成要素を他の構成要素と置き換えた漢字を順次配列して出力する、
ことを特徴とする［３］に記載の漢字学習支援装置。
【００８５】
［６］
前記表示装置に表示された漢字のうちユーザ操作に応じて指定された部位の構成要素を手書き入力枠に換えて出力する手書き枠出力手段と、
この手書き枠出力手段により出力された手書き入力枠に対するユーザ操作に応じて入力された手書き文字を認識する文字認識手段と、
前記漢字の指定の部位の構成要素を前記文字認識手段により認識された文字に置き換えてなる漢字が前記漢字記憶手段により記憶された漢字の中に存在するかを判断する漢字判断手段と、
この漢字判断手段による判断結果を出力する結果出力手段と、
を備えたことを特徴とする［１］ないし［５］の何れかに記載の漢字学習支援装置。
【００８６】
［７］
前記漢字記憶手段は、漢字を当該漢字を含むテキストとして記憶する、
ことを特徴とする［１］ないし［６］の何れかに記載の漢字学習支援装置。
【００８７】
［８］
電子機器のコンピュータを制御するためのプログラムであって、
前記コンピュータを、
漢字データを記憶する漢字記憶手段と、
この漢字記憶手段により記憶された漢字データに基づいて、学習対象とする漢字を表示装置に表示させる漢字出力手段と、
前記表示装置に表示された漢字の部位がユーザ操作に応じて指定された場合に、前記漢字の指定の部位の構成要素を他の構成要素と置き換えた漢字を前記漢字記憶手段から取り出して前記表示装置に表示させる置き換え漢字出力手段、
として機能させるためのコンピュータ読み込み可能なプログラム。
【符号の説明】
【００８８】
１０  …漢字学習支援装置
１０Ｄ…電子辞書装置
２０  …入出力装置
２０Ｔ…タブレット端末
２１  …キー入力部
２１ａ…［漢字学習］キー
２２  …タッチパネル付表示部
２３  …入出力制御部
２４、３４…インターフェイス部
３０  …データ処理装置
３０Ｓ…サーバ装置
３１  …制御装置（ＣＰＵ）
３２  …記憶装置
３２ａ…制御プログラム
３２ｂ…コンテンツＤＢ
３２ｃ…漢字ＤＢ
３２ｃ１…漢字ＤＢ（学年別）
３２ｃ２…漢字ＤＢ（意符別）
３２ｃ３…漢字ＤＢ（音符別）
３３  …ＲＡＭ
３３ａ…表示データ記憶領域
３３ｂ…指定漢字位置データ記憶領域
【図１】
2015222334.tif 000003
【図２】
2015222334.tif 000004
【図３】
2015222334.tif 000005
【図４】
2015222334.tif 000006
【図５】
2015222334.tif 000007
【図６】
2015222334.tif 000008
【図７】
2015222334.tif 000009
【図８】
2015222334.tif 000010
【図９】
2015222334.tif 000011